(57)【要約】【課題】良好な光学特性が得られる光学装置及び光学機器を提供すること。【解決手段】レンズ鏡筒１は、レンズ１２１ｂを保持する連結部材３０と、溝１６を有し連結部材３０を保持する連結部材１０と、連結部材３０、１０の間に備えられ、弾性を有するバネ１９ａ、１９ｂと、バネ１９ａ、１９ｂとの間で連結部材３０を挟むように備えられ、バネ１９ａ、１９ｂに弾性力が生じるように連結部材３０をバネ１９ａ、１９ｂに向けて位置決め可能である調整ピン２０ａ、２０ｂと、調整ピン２０ａ、２０ｂとの間で連結部材３０を挟むように備えられ、連結部材３０が固定されるように連結部材３０を調整ピン２０ａ、２０ｂに向けて固定可能である固定ピン２０ｃと、一端側が連結部材３０に固定され、一端側とは異なる他端側が溝１６に挿入されたピン３６とを含む。【選択図】  図４
2011158632.tif 000002
【特許請求の範囲】
【請求項１】
光学系を保持する第１保持枠と、
前記第１保持枠に対向する面に備えられた溝を有し、前記第１保持枠を保持する第２保持枠と、
前記光学系の光軸と交差する方向でみて前記第１保持枠と前記第２保持枠との間に備えられ、弾性を有する弾性部材と、
前記光軸と交差する方向でみて前記弾性部材との間で前記第１保持枠を挟むように備えられ、前記弾性部材に弾性力が生じるように前記第１保持枠を前記弾性部材に向けて位置決め可能である位置決め部と、
前記光軸と交差する方向でみて前記位置決め部との間で前記第１保持枠を挟むように備えられ、前記第１保持枠が固定されるように前記第１保持枠を前記位置決め部に向けて固定可能である固定部と、
一端側が前記第１保持枠に固定され、前記一端側とは異なる他端側が前記溝に挿入された突起部とを含むことを特徴とする光学装置。
【請求項２】
請求項１に記載された光学装置であって、
前記溝は、前記光軸と直交する面方向に沿って備えられていることを特徴とする光学装置。
【請求項３】
請求項１又は請求項２に記載された光学装置であって、
前記光軸方向における前記溝と前記突起部との間隔は、前記光軸と直交する面方向における前記溝と前記突起部との間隔よりも狭いことを特徴とする光学装置。
【請求項４】
請求項１から請求項３までの何れか１項に記載された光学装置であって、
前記溝は、前記第２保持枠に形成された貫通溝であることを特徴とする光学装置。
【請求項５】
請求項１から請求項４までの何れか１項に記載された光学装置であって、
前記突起部は、前記光軸と直交する面方向に沿って３箇所以上備えられていることを特徴とする光学装置。
【請求項６】
請求項１から請求項５までの何れか１項に記載された光学装置であって、
前記位置決め部、及び、固定部は、前記光軸と直交する方向に沿って進退可能なネジであり、
前記突起部は、前記光軸と直交する方向に沿って備えられていることを特徴とする光学装置。
【請求項７】
請求項１から請求項６までの何れか１項に記載された光学装置であって、
前記突起部は、前記溝の内周面に沿って摺動可能であることを特徴とする光学装置。
【請求項８】
外周面に備えられた溝を有し光学系を保持する第１保持枠と、
前記第１保持枠を保持する第２保持枠と、
前記光学系の光軸と交差する方向でみて前記第１保持枠と前記第２保持枠との間に備えられ、弾性を有する弾性部材と、
前記光軸と交差する方向でみて前記弾性部材との間で前記第１保持枠を挟むように備えられ、前記弾性部材に弾性力が生じるように前記第１保持枠を前記弾性部材に向けて位置決め可能である位置決め部と、
前記光軸と交差する方向でみて前記位置決め部との間で前記第１保持枠を挟むように備えられ、前記第１保持枠が固定するように前記第１保持枠を前記位置決め部に向けて固定可能である固定部と、
一端側が前記第２保持枠に固定され、前記一端側とは異なる他端側が前記溝に挿入された突起部とを含むことを特徴とする光学装置。
【請求項９】
請求項１から請求項８までの何れか１項に記載された光学装置を含む光学機器。
【発明の詳細な説明】
【技術分野】
【０００１】
本発明は、光学装置及び光学機器に関する。
【背景技術】
【０００２】
特許文献１には、光学装置に設けられた光学系の位置を調整する技術が開示されている。
【先行技術文献】
【特許文献】
【０００３】
【特許文献１】特開２００６−５８５８２号公報
【発明の概要】
【発明が解決しようとする課題】
【０００４】
本発明の課題は、良好な光学特性が得られる光学装置及び光学機器を提供することである。
【課題を解決するための手段】
【０００５】
本発明は、以下のような解決手段により上記課題を解決する。尚、理解を容易にするために本発明の一実施例を示す図面に対応する符号を付して説明するが、これに限定されるものではない。
【０００６】
第１の形態に係る光学装置は、光学系（１２１ｂ）を保持する第１保持枠（３０）と、前記第１保持枠（３０）に対向する面に備えられた溝（１６）を有し、前記第１保持枠を保持する第２保持枠（１０）と、前記光学系の光軸（ＯＡ）と交差する方向でみて前記第１保持枠と前記第２保持枠との間に備えられ、弾性を有する弾性部材（１９ａ、１９ｂ）と、前記光軸と交差する方向でみて前記弾性部材との間で前記第１保持枠を挟むように備えられ、前記弾性部材に弾性力が生じるように前記第１保持枠を前記弾性部材に向けて位置決め可能である位置決め部（２０ａ、２０ｂ）と、前記光軸と交差する方向でみて前記位置決め部との間で前記第１保持枠を挟むように備えられ、前記第１保持枠が固定されるように前記第１保持枠を前記位置決め部に向けて固定可能である固定部（２０ｃ）と、一端側が前記第１保持枠に固定され、前記一端側とは異なる他端側が前記溝に挿入された突起部（３６）とを含む。
【０００７】
上記構成において、前記溝は、前記光軸と直交する面方向に沿って備えられていてもよい。
【０００８】
上記構成において、前記光軸方向における前記溝と前記突起部との間隔は、前記光軸と直交する面方向における前記溝と前記突起部との間隔よりも狭くてもよい。
【０００９】
上記構成において、前記溝は、前記第２保持枠に形成された貫通溝であってもよい。
【００１０】
上記構成において、前記突起部は、前記光軸と直交する面方向に沿って３箇所以上備えられていてもよい。
【００１１】
上記構成において、前記位置決め部、及び、固定部は、前記光軸と直交する方向に沿って進退可能なネジであり、前記突起部は、前記光軸と直交する方向に沿って備えられていてもよい。
【００１２】
上記構成において、前記突起部は、前記溝の内周面に沿って摺動可能であってもよい。
【００１３】
第２の形態に係る光学装置は、外周面に備えられた溝（３６ｃ）を有し光学系（１２１ｂ）を保持する第１保持枠（３０ｂ）と、前記第１保持枠を保持する第２保持枠（１０ｂ）と、前記光学系の光軸と交差する方向でみて前記第１保持枠と前記第２保持枠との間に備えられ、弾性を有する弾性部材（１９ａ、１９ｂ）と、前記光軸と交差する方向でみて前記弾性部材との間で前記第１保持枠を挟むように備えられ、前記弾性部材に弾性力が生じるように前記第１保持枠を前記弾性部材に向けて位置決め可能である位置決め部（２０ａ、２０ｂ）と、前記光軸と交差する方向でみて前記位置決め部との間で前記第１保持枠を挟むように備えられ、前記第１保持枠が固定するように前記第１保持枠を前記位置決め部に向けて固定可能である固定部（２０ｃ）と、一端側が前記第２保持枠に固定され、前記一端側とは異なる他端側が前記溝に挿入された突起部（１６ｃ）とを含む。
【００１４】
光学機器は、上記の光学装置を含む。
【発明の効果】
【００１５】
本発明によれば、良好な光学特性が得られる光学装置及び光学機器を提供できる。
【図面の簡単な説明】
【００１６】
【図１】図１は、レンズ鏡筒の内部構成を示した図である。
【図２】図２は、連結部材の側面図である。
【図３】図３は、連結部材の正面図である。
【図４】図４は、図２のＡ−Ａ断面図である。
【図５】図５は、図３のＢ−Ｂ断面図である。
【図６】図２に示した溝周辺の部分拡大図である。
【図７】図７は、第１変形例に係る連結部材の説明図である。
【図８】図８は、第１変形例に係る連結部材の説明図である。
【図９】図９は、図８のＣ−Ｃ断面図であり第１変形例に係る連結部材のみを示した図である。
【図１０】図１０は、第２変形例に係る連結部材の説明図である。
【発明を実施するための形態】
【００１７】
以下、発明の実施の形態を通じて本発明を説明するが、以下の実施形態は特許請求の範囲に関わる発明を限定するものではない。また、実施形態の中で説明されている特徴の組み合わせの全てが発明の解決手段であるとは限らない。
【００１８】
図１は、レンズ鏡筒１の内部構成を示している。レンズ鏡筒１は、光学装置の一例である。図１において、詳しくは後述する連結部材１０、３０、５０をハッチングして示している。図１に示すように、レンズ鏡筒１は、第１から４のレンズ群を備える。レンズ１１１ａ〜１１１ｄは、第１レンズ群に相当し、レンズ１２１ａ、１２１ｂは第２レンズ群に相当し、レンズ１３１ａ、１３１ｂは第３レンズ群に相当し、レンズ１４１ａ、１４１ｂは第４レンズ群に相当する。レンズ１１１ａは保持枠１１２ａに保持され、レンズ１１１ｂ〜１１１ｄは保持枠１１２ｂに保持されている。レンズ１２１ａは、保持枠１２２に保持されている。レンズ１２１ｂは保持枠５０に保持されている。レンズ１３１ａ、１３１ｂは保持枠１３２に保持され、レンズ１４１ａ、１４１ｂは保持枠１４２に保持されている。
【００１９】
レンズ鏡筒１は、カメラボディ等の光学機器に固定される固定筒１４０と、固定筒１４０に収容されたカム筒１５０とを備えている。固定筒１４０及びカム筒１５０は、ともに光軸ＯＡを軸方向とする円筒体であり、カム筒１５０は、固定筒１４０の内周面と光軸ＯＡ周りに回転自在に嵌合している。カム筒１５０の内周側には、第１〜第４レンズ群と、保持枠１１２ａ、１１２ｂ、１３２、１４２とが配されている。
【００２０】
連結部材３０、保持枠５０は嵌合により結合されている。保持枠１１２ｂ、１２２、連結部材３０、保持枠１３２、１４２は、それぞれ、カム筒１５０の内周面に、光軸周りに回転自在に嵌合した円筒状の連結部材１１６、１２６、１０、１３６、１４６に結合されている。尚、連結部材１２６は、連結部材１０の内周側に連結されている。保持枠１１２ａは、保持枠１１２ｂに結合されている。
【００２１】
ここで、連結部材１０、１３６、１４６の、カム筒１５０の内周面に当接する外周面には、それぞれカムピン１１、１３８、１４８が結合されている。また、連結部材１１６にも、図示していないがカムピンが結合されている。一方、カム筒１５０には、カムピン１１等がそれぞれ挿入される複数のカム溝が形成されている。尚、カム溝については図示を省略している。カム筒１５０が光軸ＯＡ周りに回転することにより、カムピン１１等がカム溝から光軸ＯＡの方向に押され、連結部材１０、１３６、１４６が光軸ＯＡの方向に移動する。
【００２２】
また、第２レンズ群の外周側には、フォーカス環１７０が配されている。このフォーカス環１７０は、光軸周りに回転自在に固定筒１４０及び第１外固定筒２００と嵌合している。また、第４レンズ群の外周側には、ズーム環１８０が配されている。このズーム環１８０は、光軸周りに回転自在に第１外固定筒２００及び第２外固定筒２０１と嵌合している。
【００２３】
ここで、第２レンズ群の一のレンズ１２１ｂは、光軸Ｌの位置を調整可能な調芯レンズである。詳細は後述するが、調芯レンズとしてのレンズ１２１ｂを保持する連結部材３０の外周面には、光軸ＯＡと直交する方向（以下、径方向ＲＤと称する）に前進又は後退可能な複数の調整ネジ２０ａ、２０ｂと、同様にレンズ１２１ｂの径方向ＲＤに前進又は後退可能な固定ネジ２０ｃとが当接されている。
【００２４】
フォーカス環１７０には、貫通孔１７５が形成されている。また、固定筒１４０にも、貫通孔１７５に対応する位置に不図示の貫通孔が形成されている。これら貫通孔は、調整ネジ２０ａ、２０ｂ、固定ネジ２０ｃを調整するための工具を挿入するためのものである。これら貫通孔に工具を挿入して、調整ネジ２０ａ、２０ｂ、固定ネジ２０ｃの螺合量を調整できる。工具は、例えばレンチである。調整ネジ２０ａ、２０ｂ、固定ネジ２０ｃには、それぞれレンチ孔２１ａ〜２１ｃが形成されている。
【００２５】
図２は、連結部材１０、３０の側面図である。図３は、連結部材１０、３０の正面図である。図４は、図２のＡ−Ａ断面図、図５は、図３のＢ−Ｂ断面図である。連結部材１０は外周面に３つのカムピン１１が形成されている。
【００２６】
連結部材１０には、２つの孔１７ａ、１７ｂが形成されている。孔１７ａ、１７ｂは、それぞれ蓋１８ａ、１８ｂにより塞がれている。バネ１９ａ、１９ｂは、光軸ＯＡと交差する方向からみて連結部材１０と連結部材３０との間に備えられている。詳細には、蓋１８ａと連結部材３０との間にはバネ１９ａが備えられ、１８ｂと連結部材３０との間にバネ１９ｂが備えられている。バネ１９ａ、１９ｂは、それぞれコイル状である。バネ１９ａ、１９ｂは、図４に示すように、連結部材３０の外周面に形成された凹部に嵌合している。蓋１８ａ、１８ｂは、それぞれ、バネ１９ａ、１９ｂ内に挿入された突起部１８ａ１、１８ｂ１が形成されている。突起部１８ａ１、１８ｂ１は、径方向ＲＤの内側に突出している。これにより、バネ１９ａ、１９ｂが、それぞれ蓋１８ａ、１８ｂから離脱することが防止されている。
【００２７】
上述したように連結部材１０には、調整ネジ２０ａ、２０ｂ、固定ネジ２０ｃが螺合している。図３、図４に示すように、調整ネジ２０ａ、２０ｂ、固定ネジ２０ｃは、それぞれ、連結部材１０に形成されたネジ孔１２ａ〜１２ｃに螺合している。調整ネジ２０ａ、２０ｂ、固定ネジ２０ｃは、連結部材１０の内側に突出している。調整ネジ２０ａ、２０ｂ、固定ネジ２０ｃは、それぞれネジ孔１２ａ〜１２ｃとの螺合量を調整することにより、連結部材１０からの突出量を調整できる。即ち、調整ネジ２０ａ、２０ｂ、固定ネジ２０ｃは、図４に示すように、レンズ１２１ｂの径方向ＲＤに沿って進退可能である。
【００２８】
調整ネジ２０ａ、２０ｂ、固定ネジ２０ｃは、それぞれ、連結部材３０の外周面に形成された被押圧面３２ａ〜３２ｃに当接している。図３に示すように、被押圧面３２ａ〜３２ｃは、光軸ＯＡの方向から見て平坦である。調整ネジ２０ａ、２０ｂ、固定ネジ２０ｃは、図３、図４に示すように光軸ＯＡ周りに略等しい角度間隔を有して配置されているが、このような配置に限定されない。
【００２９】
調整ネジ２０ａは、光軸ＯＡと交差する方向で見てバネ１９ａとの間で連結部材３０を挟むように設けられている。同様に、調整ネジ２０ｂは、光軸ＯＡと交差する方向で見てバネ１９ｂとの間で連結部材３０を挟むように設けられている。換言すれば、調整ネジ２０ａと蓋１８ａとは、光軸ＯＡを挟んで反対側に配置され、調整ネジ２０ｂと１８ｂとも同様に配置されている。調整ネジ２０ａ、２０ｂを径方向ＲＤに進退させることにより、バネ１９ａ、１９ｂに弾性力が生じるように連結部材３０をバネ１９ａ、１９ｂに向けて位置決め可能である。
【００３０】
尚、調整ネジ２０ａ、２０ｂは、連結部材３０を挟むようにして、それぞれバネ１９ａ、１９ｂと対向するものに限定されない。調整ネジ２０ａ、２０ｂは、それぞれバネ１９ａ、１９ｂに弾性力が生じるように、連結部材３０をそれぞれバネ１９ａ、１９ｂに向けて位置決め可能であればよい。この場合、調整ネジ２０ａ、２０ｂを、連結部材１０の任意の位置に設けることがことができる。
【００３１】
固定ネジ２０ｃは、図４に示すように、光軸ＯＡと交差する方向から見て、調整ネジ２０ａ、２０ｂとの間で連結部材３０を挟むように設けられている。固定ネジ２０ｃを径方向ＲＤに進退させることにより、固定ネジ２０ｃは連結部材３０を調整ネジ２０ａ、２０ｂに向けて固定することができる。
【００３２】
尚、固定ネジ２０ｃは、連結部材３０を挟むようにして、それぞれ調整ネジ２０ａ、２０ｂと対向するものに限定されない。固定ネジ２０ｃは、連結部材３０が固定されるように連結部材３０を調整ネジ２０ａ、２０ｂに向けて位置決め可能であればよい。この場合、固定ネジ２０ｃを、連結部材１０の任意の位置に設けることがことができる。
【００３３】
バネ１９ａは、連結部材３０が調整ネジ２０ａに押し付けられるように連結部材３０を付勢している。同様に、バネ１９ｂは、連結部材３０が調整ネジ２０ｂに押し付けられるように連結部材３０を付勢している。尚、調整ネジ２０ａ、２０ｂの剛性は、バネ１９ａ、１９ｂよりも高い。
【００３４】
これにより、連結部材３０がレンズ１２１ｂの径方向に位置決めされるので、調整ネジ２０ａ、２０ｂを径方向に進退させることにより、連結部材３０の位置をレンズ１２１ｂの径方向に調整でき、レンズ１２１ｂの光軸ＯＡの位置を径方向で調整できる。
【００３５】
連結部材１０には、３つの溝１６が形成されている。溝１６は、光軸ＯＡと直交する面方向に沿って形成されている。換言すれば、溝１６は、連結部材１０の外周方向に沿って延びている。溝１６は連結部材１０を貫通しているが、貫通していなくてもよい。溝１６は、光軸ＯＡ周りに略等しい角度間隔を有して形成されている。
【００３６】
連結部材３０の外周面側には、３つのピン３６が結合されている。ピン３６を３つ以上設けてもよい。ピン３６は、光軸ＯＡと直交する面方向に沿って突出している。換言すれば、ピン３６は連結部材３０の径方向ＲＤの外側に突出している。ピン３６は、光軸ＯＡ周りに略等しい角度間隔で配置されている。複数のピン３６は、複数の溝１６に各々挿入されている。即ち、連結部材１０及び連結部材３０には、３対のピン３６及び溝１６が設けられている。ピン３６は、一端側が連結部材３０側に固定され、一端側と異なる他端側が溝１６に挿入されている。ピン３６は、溝１６内を摺動可能である。
【００３７】
このように、連結部材３０に固定されたピン３６が連結部材１０の溝１６に挿入されていることにより、連結部材１０に対して連結部材３０は溝１６の方向にのみ移動が許容される。これにより、連結部材１０に対する連結部材３０の移動の方向を制限することができる。
【００３８】
図２、図４に示すように、溝１６は、光軸ＯＡと直交する面方向に沿っている。これにより、連結部材３０は、光軸ＯＡと直交する面内での移動のみが許容される。例えば、調整ネジ２０ａや固定ネジ２０ｂ等により連結部材３０の位置を調整する際には、調整ネジ２０ａ等を回転させる必要がある。調整ネジ２０ａ等は、図３に示したように、連結部材３０に接触している。このため、調整ネジ２０ａ等を回転させると、調整ネジ２０ａの回転力が連結部材３０に伝達されて、連結部材３０が例えば光軸ＯＡに対して傾くおそれがある。連結部材３０が光軸ＯＡに対して傾くと、連結部材３０に保持されているレンズ１２１ｂの光軸が傾き、これにより光学特性が低下するおそれがある。
【００３９】
しかしながら、本実施例のレンズ鏡筒１においては、連結部材３０は光軸ＯＡと直交する面内での移動のみが許容される。これにより、連結部材３０が光軸ＯＡに対して傾くことが防止され、良好な光学特性を得ることができる。尚、連結部材３０が光軸ＯＡに対して傾く、とは、連結部材１０の軸心に対して、連結部材３０の軸心又は連結部材３０により保持されているレンズ１２１ｂの光軸が傾くことを意味している。
【００４０】
図６は、図２に示した溝１６周辺の部分拡大図である。図６に示すように、光軸ＯＡの方向における溝１６とピン３６との間隔Ｃ１は、光軸ＯＡと直交する面方向における溝１６とピン３６の間隔Ｃ２よりも狭い。従って、ピン３６は、溝１６内で光軸ＯＡと直交する面方向での移動が許容される。このように、ピン３６と溝１６とにより、レンズ１２１ｂの光軸ＯＡの傾きを防止しながら調整ネジ２０ａ、２０ｂに押される方向での連結部材３０の移動を案内できる。これにより、レンズ１２１ｂの光軸の位置精度が向上する。
【００４１】
次に、連結部材の第１変形例について説明する。図７、図８は、第１変形例に係る連結部材１０ａ、３０ａの説明図である。図７は、図２に対応している。図８は、図３に対応している。図９は、図８のＣ−Ｃ断面図であり連結部材１０ａのみを示している。
【００４２】
溝１６ａは、連結部材１０ａを貫通していない。溝１６ａは、連結部材１０ａの内周面側に形成されている。溝１６ａは、光軸ＯＡと直交する面方向に沿っている。連結部材３０ａは、ピン３６ａが結合されている。ピン３６ａは、一端が連結部材３０ａ側に固定され、他端が溝１６ａ内に挿入されている。
【００４３】
溝１６ａは、溝１６ｉと連続している。溝１６ｉは、光軸ＯＡに沿っている。溝１６ｉは、連結部材１０ａを貫通していない。溝１６iは、連結部材１０ａの内周面側に形成されている。溝１６ａと溝１６ｉとは、光軸ＯＡと直交する方向からみて、互いに略直交している。溝１６ｉは、溝１６ａ内にピン３６ａを挿入するためのものである。連結部材１０ａ内に連結部材３０ａを挿入する際には、連結部材３０ａに予め結合されたピン３６ａを溝１６ｉ内に挿入して、連結部材１０ａに対して連結部材３０ａを光軸ＯＡ周りに回転させることにより、ピン３６ａを溝１６ａ内に挿入する。
【００４４】
溝１６ａ内にピン３６ａが挿入されている間は、連結部材１０ａに対して連結部材３０ａは溝１６ａの方向にのみ移動が許容される。これにより、連結部材１０ａに対する連結部材３０ａの移動の方向を制限することができる。
【００４５】
次に、連結部材の第２変形例について説明する。図１０は、第２変形例に係る連結部材の説明図である。図１０は、光軸ＯＡと直交する仮想線に沿った連結部材１０ｂ、３０ｂの断面を示している。図１０は、図４と対応している。
【００４６】
連結部材１０ｂには、複数の孔１６ｂが形成され、孔１６ｂにはそれぞれピン１６ｃが嵌合している。即ち、ピン１６ｃは１０ｃに結合されている。孔１６ｂは、連結部材１０ｂを貫通している。連結部材３０ｂには、連結部材１０ｂの内周面と対向する外周面側に複数の溝３６ｃが形成されている。溝３６ｃは、連結部材３０ｂの外周部を貫通していない。ピン１６ｃの一端側は連結部材１０ｂに固定されている。ピン１６ｃの他端側は溝３６ｃに挿入されている。溝３６ｃは、ＯＡと直交する面方向に沿っている。換言すれば、溝３６ｃは、連結部材３０ｂの外周方向に延びている。また、ＯＡの方向における溝３６ｃとピン１６ｃとの間隔は、ＯＡと直交する面方向における溝３６ｃとピン１６ｃとの間隔よりも狭い。このような構成によっても、溝３６ｃ内にピン１６ｃが挿入されている間は、連結部材１０ｂに対して連結部材３０ｃは溝３６ｃの方向にのみ移動が許容される。これにより、連結部材１０ｂに対する連結部材３０ｂの移動の方向を制限することができる。
【００４７】
以上、本発明の実施例について詳述したが、本発明は係る特定の実施例に限定されるものではなく、特許請求の範囲に記載された本発明の要旨の範囲内において、種々の変形・変更が可能である。
【００４８】
上記実施例では、溝１６、１６ａ、３６ｃは光軸ＯＡと直交する面方向に沿っているが、それ以外の方向に沿っていてもよい。この場合、連結部材１０、１０ａ、１０ｂに対して連結部材３０、３０ａ、３０ｂは、ＯＡと直交する面方向以外の方向にのみ移動が許容される。
【００４９】
上記実施例では、連結部材１０に溝１６が設けられ、連結部材３０にピン３６が固定されているが、このような構成に限定されない。例えば、溝を連結部材３０の外周面に設け、一端が連結部材１０に固定され他端が溝に挿入された突起部を設けても良い。
【００５０】
光学装置を備えた光学機器は、例えばスチルカメラ、ビデオカメラ、携帯電話、望遠鏡等である。
【００５１】
調整される光学系は、最も被写体側に位置した光学系であってもよい。調整される光学系は、１枚のレンズであってもよいし、複数枚のレンズからなるレンズ群であってもよい。
【００５２】
バネ１９ａ、１９ｂの代わりにゴムを採用してもよい。固定ネジ２０ｃを複数設けてもよい。調整ネジ２０ａ、２０ｃを、３本以上設けてもよい。
【符号の説明】
【００５３】
１  レンズ鏡筒    １０、１０ａ、１０ｂ、３０、３０ａ、３０ｂ  連結部材    １２ａ〜１２ｃ  ネジ孔    １８ａ、１８ｂ  蓋    １９ａ、１９ｂ  バネ    ２０ａ、２０ｂ  調整ネジ    ２０ｃ  固定ネジ    ５０  保持枠    １２１ｂ  レンズ    ＯＡ  光軸
【図１】
2011158632.tif 000003
【図２】
2011158632.tif 000004
【図３】
2011158632.tif 000005
【図４】
2011158632.tif 000006
【図５】
2011158632.tif 000007
【図６】
2011158632.tif 000008
【図７】
2011158632.tif 000009
【図８】
2011158632.tif 000010
【図９】
2011158632.tif 000011
【図１０】
2011158632.tif 000012